(57)【特許請求の範囲】
【請求項１】
塵芥を圧縮して貯留する塵芥貯留装置であって、
前記塵芥が投入され、回転するドラムと、
前記ドラムの両端部のうちの一方の端部である第１端部に形成された開口の一部を塞ぐ第１閉塞部と、
前記ドラムの前記第１端部と前記第１閉塞部との間をシーリングする第１シール部と
を備え、
前記第１シール部は、
前記ドラムの前記第１端部の外周面に沿って配置される円環状のパッキンと、
前記パッキンよりも、前記ドラムの径方向の外側に配置され、前記径方向への前記パッキンの移動を規制する規制部と
を含み、
前記ドラムの前記第１端部の前記外周面は、前記規制部に向かって前記パッキンを押圧する、塵芥貯留装置。
【請求項２】
前記第１シール部は、
前記ドラムの前記径方向の外側に配置され、前記第１閉塞部に向かって前記パッキンを押圧する押圧部をさらに含む、請求項１に記載の塵芥貯留装置。
【請求項３】
前記押圧部は、
前記パッキンに向かって突出し、前記パッキンに沿って延びる凸部を含む、請求項２に記載の塵芥貯留装置。
【請求項４】
前記第１シール部は、
前記規制部に形成され、前記押圧部と対向するフランジ部をさらに含み、
前記押圧部と前記フランジ部とは連結される、請求項２又は請求項３に記載の塵芥貯留装置。
【請求項５】
前記第１シール部は、
前記押圧部をから突出し、前記パッキンに差し込まれる突起部をさらに含む、請求項２から請求項４のいずれか１項に記載の塵芥貯留装置。
【請求項６】
前記第１シール部は、
前記第１閉塞部に接合される基部をさらに含み、
前記規制部は、前記基部から突出し、
前記押圧部は、前記基部に向かって前記パッキンを押圧する、請求項２から請求項５のいずれか１項に記載の塵芥貯留装置。
【請求項７】
前記第１閉塞部は、板状であり、
前記基部は、板状であり、
前記基部の厚みは、前記第１閉塞部の厚みよりも大きい、請求項６に記載の塵芥貯留装置。
【請求項８】
前記第１シール部は、
前記ドラムの前記第１端部の前記外周面に接合される帯状部をさらに含み、
前記帯状部は、前記規制部に向かって前記パッキンを押圧する、請求項１から請求項７のいずれか１項に記載の塵芥貯留装置。
【請求項９】
前記帯状部の厚みは、前記ドラムの前記第１端部の厚みよりも大きい、請求項８に記載の塵芥貯留装置。
【請求項１０】
前記ドラムは、円筒状であり、
前記ドラムの前記両端部のうちの他方の端部である第２端部に形成された開口の一部を塞ぐ第２閉塞部と、
前記ドラムの前記第２端部と前記第２閉塞部との間をシーリングする第２シール部と
をさらに備え、
前記第２シール部は、
前記ドラムの前記第２端部の外周面に沿って配置される円環状のパッキンと、
前記パッキンよりも、前記ドラムの前記径方向の外側に配置され、前記径方向への前記パッキンの移動を規制する規制部と
を含み、
前記ドラムの前記第２端部の前記外周面は、前記第２シール部の前記規制部に向かって前記第２シール部の前記パッキンを押圧する、請求項１から請求項９のいずれか１項に記載の塵芥貯留装置。
【発明の詳細な説明】
【技術分野】
【０００１】
本発明は、塵芥を圧縮して貯留する塵芥貯留装置に関する。
【背景技術】
【０００２】
特許文献１に記載されたゴミ貯留機は、ゴミを貯留する回転筒（ドラム）と、前固定台と、後固定台とを備える。前固定台は回転筒の前部に接しており、後固定台は回転筒の後部に接している。回転筒と前固定台との間にシール材が設けられ、回転筒と後固定台との間にシール材が設けられる。シール材を設けることによって、回転筒から、汚水等の汚液が漏洩することを抑止する。
【先行技術文献】
【特許文献】
【０００３】
【特許文献１】特開２００５−２００２０９号公報
【発明の概要】
【発明が解決しようとする課題】
【０００４】
本発明の目的は、塵芥が貯留されるドラムから汚液が漏洩することを効果的に抑止できる塵芥貯留装置を提供することにある。
【課題を解決するための手段】
【０００５】
本発明の一局面によれば、塵芥貯留装置は、塵芥を圧縮して貯留する。塵芥貯留装置は、ドラムと、第１閉塞部と、第１シール部とを備える。ドラムには前記塵芥が投入され、ドラムは回転する。第１閉塞部は、前記ドラムの両端部のうちの一方の端部である第１端部に形成された開口の一部を塞ぐ。第１シール部は、前記ドラムの前記第１端部と前記第１閉塞部との間をシーリングする。前記第１シール部は、円環状のパッキンと、規制部とを含む。パッキンは、前記ドラムの前記第１端部の外周面に沿って配置される。規制部は、前記パッキンよりも、前記ドラムの径方向の外側に配置され、前記径方向への前記パッキンの移動を規制する。前記ドラムの前記第１端部の前記外周面は、前記規制部に向かって前記パッキンを押圧する。
【０００６】
本発明の塵芥貯留装置において、前記第１シール部は、押圧部をさらに含むことが好ましい。押圧部は、前記ドラムの前記径方向の外側に配置され、前記第１閉塞部に向かって前記パッキンを押圧することが好ましい。
【０００７】
本発明の塵芥貯留装置において、前記押圧部は、凸部を含むことが好ましい。凸部は、前記パッキンに向かって突出し、前記パッキンに沿って延びることが好ましい。
【０００８】
本発明の塵芥貯留装置において、前記第１シール部は、フランジ部をさらに含むことが好ましい。フランジ部は、前記規制部に形成され、前記押圧部と対向することが好ましい。前記押圧部と前記フランジ部とは連結されることが好ましい。
【０００９】
本発明の塵芥貯留装置において、前記第１シール部は、突起部をさらに含むことが好ましい。突起部は、前記押圧部をから突出し、前記パッキンに差し込まれることが好ましい。
【００１０】
本発明の塵芥貯留装置において、前記第１シール部は、基部をさらに含むことが好ましい。基部は、前記第１閉塞部に接合されることが好ましい。前記規制部は、前記基部から突出し、前記押圧部は、前記基部に向かって前記パッキンを押圧することが好ましい。
【００１１】
本発明の塵芥貯留装置において、前記第１閉塞部は、板状であり、前記基部は、板状であることが好ましい。前記基部の厚みは、前記第１閉塞部の厚みよりも大きいことが好ましい。
【００１２】
本発明の塵芥貯留装置において、前記第１シール部は、帯状部をさらに含むことが好ましい。帯状部は、前記ドラムの前記第１端部の前記外周面に接合されることが好ましい。前記帯状部は、前記規制部に向かって前記パッキンを押圧することが好ましい。
【００１３】
本発明の塵芥貯留装置において、前記帯状部の厚みは、前記ドラムの前記第１端部の厚みよりも大きいことが好ましい。
【００１４】
本発明の塵芥貯留装置において、前記ドラムは、円筒状であることが好ましい。塵芥貯留装置は、第２閉塞部と、第２シール部とをさらに備えることが好ましい。第２閉塞部は、前記ドラムの前記両端部のうちの他方の端部である第２端部に形成された開口の一部を塞ぐことが好ましい。第２シール部は、前記ドラムの前記第２端部と前記第２閉塞部との間をシーリングすることが好ましい。前記第２シール部は、円環状のパッキンと、規制部とを含むことが好ましい。パッキンは、前記ドラムの前記第２端部の外周面に沿って配置されることが好ましい。規制部は、前記パッキンよりも、前記ドラムの前記径方向の外側に配置され、前記径方向への前記パッキンの移動を規制することが好ましい。前記ドラムの前記第２端部の前記外周面は、前記第２シール部の前記規制部に向かって前記第２シール部の前記パッキンを押圧することが好ましい。
【発明の効果】
【００１５】
本発明によれば、塵芥が貯留されるドラムから汚液が漏洩することを効果的に抑止できる。
【図面の簡単な説明】
【００１６】
【図１】本発明の実施形態１に係る塵芥貯留装置の背面側を示す斜視図である。
【図２】本発明の実施形態１に係る塵芥貯留装置の正面側を示す斜視図である。
【図３】本発明の実施形態１に係る塵芥貯留装置の本体を示す分解斜視図である。
【図４】本発明の実施形態１に係る塵芥貯留装置の投入側閉塞部の裏側を示す斜視図である。
【図５】本発明の実施形態１に係る塵芥貯留装置の投入側シール部を示す断面斜視図である。
【図６】本発明の実施形態１に係る塵芥貯留装置の投入側シール部を示す断面図である。
【図７】一般的な塵芥貯留装置の投入側シール部を示す断面斜視図である。
【図８】一般的な塵芥貯留装置の投入側シール部を示す断面図である。
【図９】本発明の実施形態２に係る塵芥貯留装置の本体を示す分解斜視図である。
【図１０】本発明の実施形態２に係る塵芥貯留装置の投入側閉塞部の裏側を示す斜視図である。
【図１１】本発明の実施形態２に係る塵芥貯留装置の投入側シール部を示す断面斜視図である。
【図１２】本発明の実施形態２に係る塵芥貯留装置の投入側シール部を示す断面図である。
【図１３】本発明の実施形態３に係る塵芥貯留装置の投入側シール部の押圧部及び突起部を示す斜視図である。
【図１４】本発明の実施形態３に係る塵芥貯留装置の投入側シール部を示す断面斜視図である。
【図１５】本発明の実施形態３に係る塵芥貯留装置の投入側シール部を示す断面図である。
【発明を実施するための形態】
【００１７】
以下、本発明の実施形態について、図面を参照しながら説明する。なお、図中、同一または相当部分については同一の参照符号を付して説明を繰り返さない。また、本発明の実施形態において、Ｘ軸とＹ軸とＺ軸とは互いに直交し、Ｘ軸及びＹ軸は水平面に略平行であり、Ｚ軸は鉛直線に略平行である。
【００１８】
（実施形態１）
図１は、本発明の実施形態１に係る塵芥貯留装置１の背面側を示す斜視図である。図２は、塵芥貯留装置１の正面側を示す斜視図である。
【００１９】
図１及び図２に示すように、塵芥貯留装置１は、本体１Ａと、支持部１Ｂとを備える。本体１Ａは塵芥を圧縮して貯留する。本体１Ａは、支持部１Ｂに支持される。支持部１Ｂは、例えば、台である。
【００２０】
本体１Ａは、ドラム２と、チェーン４と、投入口６ａを有する投入側閉塞部６（第１閉塞部）と、投入側シール部８（第１シール部）と、投入ガイド１０と、排出口１２ａを有する排出側閉塞部１２（第２閉塞部）と、排出側シール部１４（第２シール部）と、排出側蓋部１６と、排出ガイド１８と、フレームＦとを備える。フレームＦは、ドラム２を囲むように形成される。
【００２１】
ドラム２は、フレームＦに回転可能に支持される。ドラム２は回転方向Ｒに回転する。実施形態１では、回転方向Ｒは、本体１Ａを正面から見たときに、時計回りを示す。ドラム２は、円筒状であり、ドラム２の回転軸線方向において、ドラム２の内径が略一定である。ドラム２には塵芥が投入される。
【００２２】
チェーン４は、ドラム２の外周面に形成された大径スプロケットとモーターの回転軸に連結された小径スプロケットとの間に架け渡される。そして、モーターを回転させることによって、小径スプロケット、チェーン４、及び大径スプロケットを介して、ドラム２が回転方向Ｒに回転する。ドラム２に投入された塵芥は、ドラム２が回転方向Ｒに回転すると、ドラム２の内部に形成された複数の羽根部材によって、投入側閉塞部６から排出側閉塞部１２に向けて移動され、排出側閉塞部１２及び排出側蓋部１６に押し付けられる。その結果、塵芥は、圧縮されて、ドラム２に貯留される。なお、大径スプロケット、モーター、小径スプロケット、及び複数の羽根部材については、図面の簡略化のため、図示を省略している。
【００２３】
投入側閉塞部６は、フレームＦの両端部のうちの一方端部に取り付けられる。投入側閉塞部６は、投入側端部（第１端部）に形成された開口の一部を塞ぐ。投入側端部は、ドラム２の両端部のうちの一方の端部である。投入側閉塞部６には、塵芥をドラム２に投入するための投入口６ａが形成される。
【００２４】
投入側シール部８は、ドラム２の投入側端部と投入側閉塞部６との間をシーリングする。
【００２５】
投入ガイド１０は、投入側閉塞部６に連結され、投入口６ａに塵芥を案内する。投入ガイド１０の上面は開口しており、投入ガイド１０の底面は傾斜している。例えば、投入ガイド１０は、ダストシュートに連結され、ダストシュートを通って落下した塵芥を投入口６ａに案内する。
【００２６】
排出側閉塞部１２は、フレームＦの両端部のうちの他方端部に取り付けられる。排出側閉塞部１２は、ドラム２の排出側端部に形成された開口の一部を塞ぐ。排出側端部は、ドラム２の両端部のうちの他方の端部である。排出側閉塞部１２には、塵芥をドラム２から排出するための排出口１２ａが形成される。
【００２７】
排出側シール部１４は、ドラム２の排出側端部と排出側閉塞部１２との間をシーリングする。
【００２８】
排出側蓋部１６は、排出口１２ａを塞ぐ閉位置と排出口１２ａを露出させる開位置との間を略鉛直方向に沿って移動する。図２では、閉位置に位置する排出側蓋部１６が示される。例えば、排出側蓋部１６は、モーターによって駆動され、鉛直方向に沿って移動する。ドラム２に貯留された塵芥を排出するときは、排出側蓋部１６が開位置に移動され、排出口１２ａが露出する。そして、ドラム２が回転方向Ｒに回転すると、塵芥は、ドラム２の内部に形成された複数の羽根部材によって、排出口１２ａからドラム２の外部へ排出される。
【００２９】
排出ガイド１８は、排出側閉塞部１２に連結され、排出口１２ａから排出された塵芥を塵芥貯留装置１の外部に案内する。例えば、排出ガイド１８は、塵芥収集車の投入口に塵芥を案内する。
【００３０】
図３及び図４を参照して、投入側シール部８の概略について説明する。図３は、本体１Ａを示す分解斜視図である。図３では、本体１Ａのうち、ドラム２、投入側シール部８、及び投入側閉塞部６が示されている。また、ドラム２の回転軸線ＡＸが示され、投入側閉塞部６の裏側が示されている。さらに、ドラム２の投入側端部２０、投入側端部２０に形成された開口ＯＰ１、ドラム２の排出側端部２２、及び排出側端部２２に形成された開口ＯＰ２が示されている。
【００３１】
図３に示すように、投入側シール部８は、押圧部３０と、パッキン３２と、位置決め部３５Ａとを含む。押圧部３０は、円環状であり、板状の部材である。パッキン３２は、円環状であり、断面略矩形状である。実施形態１では、パッキン３２は、グランドパッキン（例えば、編組パッキン）であり、潤滑剤を加えた繊維（糸）を編み組みして形成される。位置決め部３５Ａは、円環状であり、投入側閉塞部６の裏面６ｂに接合される。位置決め部３５Ａは、パッキン３２がドラム２の投入側端部２０の外周面２９に沿って配置されるように、パッキン３２を位置決めする。
【００３２】
図４は、位置決め部３５Ａを示す拡大斜視図である。図４に示すように、位置決め部３５Ａは、規制部３４ａと、フランジ部３４ｂとを含む。規制部３４ａは、円環状であり、投入側閉塞部６の裏面６ｂから突出する板状の部材である。フランジ部３４ｂは、円環状であり、規制部３４ａの先端部から、投入側閉塞部６の裏面６ｂに沿って延びる板状の部材である。フランジ部３４ｂと規制部３４ａとは略直角を形成する。
【００３３】
図５及び図６を参照して、投入側シール部８の詳細について説明する。図５は、投入側シール部８を示す断面斜視図である。図６は、投入側シール部８を示す断面図である。図５及び図６では、円環状の投入側シール部８の最下部近傍が示される。図５及び図６に示すように、パッキン３２は、ドラム２の投入側端部２０の外周面２９と規制部３４ａとに挟まれるとともに、押圧部３０と投入側閉塞部６とに挟まれている。具体的には、次の通りである。
【００３４】
パッキン３２は、ドラム２の投入側端部２０の外周面２９に沿って配置される。規制部３４ａは、投入側閉塞部６の裏面６ｂから、ドラム２の回転軸線ＡＸ（図３）に沿って突出している。規制部３４ａは、パッキン３２を介してドラム２の投入側端部２０の外周面２９に対向している。規制部３４ａは、パッキン３２よりも、ドラム２の径方向Ａの外側に配置され、径方向Ａへのパッキン３２の移動を規制する。ドラム２の投入側端部２０の外周面２９は、規制部３４ａに向かってパッキン３２を押圧する。フランジ部３４ｂは、規制部３４ａに形成され、押圧部３０と対向する。具体的には、フランジ部３４ｂは、規制部３４ａの先端部からドラム２の径方向Ａに延びている。つまり、位置決め部３５Ａは断面略Ｌ字状である。
【００３５】
押圧部３０は、ドラム２の径方向Ａの外側に配置され、パッキン３２と対向する。押圧部３０とフランジ部３４ｂとにボルト４４を貫通させ、ナット４２をボルト４４に螺合することによって、押圧部３０とフランジ部３４ｂとが連結され、押圧部３０を締め付ける。その結果、押圧部３０は、投入側閉塞部６に向かってパッキン３２を押圧する。具体的には、押圧部３０は、各々が断面略円形状の複数の凸部３０ａを含む。実施形態１では、２つの凸部３０ａが設けられる。凸部３０ａは、パッキン３２に向かって突出し、パッキン３２に沿って延びる円環状の部材である。凸部３０ａは、投入側閉塞部６に向かってパッキン３２を押圧する。
【００３６】
図５〜図８を参照して、投入側シール部８と一般的な投入側シール部１０２とを比較して説明する。図７は、一般的な塵芥貯留装置１００の投入側シール部１０２を示す断面斜視図である。図８は、投入側シール部１０２を示す断面図である。図７及び図８に示すように、一般的な塵芥貯留装置１００は、投入側シール部１０２、ドラム１０４、及び投入側閉塞部１０６を備える。投入側シール部１０２は、パッキン１０８、溝部１１０、及び押圧部１１２を含む。
【００３７】
パッキン１０８は円環状である。溝部１１０は、投入側閉塞部１０６の裏面１０６ａに円環状に形成される。溝部１１０には、パッキン１０８が嵌め込まれる。溝部１１０及びパッキン１０８は、ドラム１０４の投入側端部１１６の内周面１１６ａよりも、ドラム１０４の回転軸線に近い側に設けられる。
【００３８】
押圧部１１２は、断面略Ｌ字状の部材であり、円環状に形成される。押圧部１１２は、パッキン１０８と対向し、ドラム１０４の投入側端部１１６の内周面１１６ａよりも、ドラム１０４の回転軸線に近い側に設けられる。一方、ドラム１０４には、円環状の内壁部１０４ａが形成される。内壁部１０４ａは、ドラム１０４の内周面１１６ａから、溝部１１０向かって起立する板状の部材である。内壁部１０４ａと押圧部１１２とはボルト１１４によって連結され、押圧部１１２はボルト１１４に締め付けられる。その結果、押圧部１１２は、投入側閉塞部１０６に向かってパッキン１０８を押圧する。
【００３９】
押圧部１１２によってパッキン１０８を押圧することによって、ドラム１０４から汚水等の汚液が漏洩することを抑止する。しかしながら、塵芥を圧縮したり、塵芥を排出したりする場合、ドラム１０４が、投入側閉塞部１０６から排出側閉塞部に向かう方向Ｂに僅かに移動する場合がある。この場合、押圧部１１２はドラム１０４の内壁部１０４ａに連結されているため、押圧部１１２はドラム１０４とともに方向Ｂに僅かに移動する。その結果、押圧部１１２からパッキン１０８への押圧力が低下し、パッキン１０８が効果的に機能しない場合がある。
【００４０】
これに対して、実施形態１によれば、図５及び図６を参照して説明したように、パッキン３２は、ドラム２の外周面２９によって、規制部３４ａに向かって押圧されている。従って、ドラム２が、投入側閉塞部６から排出側閉塞部１２に向かう方向Ｂに移動した場合であっても、ドラム２の外周面２９からパッキン３２への押圧力が低下することを抑制できる。その結果、パッキン３２がドラム２を効果的に密閉し、塵芥が貯留されるドラム２から、汚水等の汚液が漏洩することを効果的に抑止できる。
【００４１】
また、実施形態１によれば、ドラム２の外周面２９が規制部３４ａに向かってパッキン３２を押圧していることに加えて、押圧部３０が投入側閉塞部６に向かってパッキン３２を押圧している。その結果、パッキン３２がドラム２を更に効果的に密閉し、ドラム２から汚液が漏洩することを更に効果的に抑止できる。
【００４２】
さらに、実施形態１によれば、押圧部３０は、フランジ部３４ｂに連結されており、ドラム２に連結されていない。従って、ドラム２が方向Ｂに移動した場合であっても、押圧部３０からパッキン３２への押圧力が低下することを抑制できる。その結果、パッキン３２がドラム２を更に効果的に密閉し、ドラム２から汚液が漏洩することを更に効果的に抑止できる。
【００４３】
さらに、実施形態１によれば、押圧部３０は、凸部３０ａによってパッキン３２を押圧している。従って、パッキン３２への単位面積当たりの押圧力を大きくできる。その結果、パッキン３２がドラム２を更に効果的に密閉し、ドラム２から汚液が漏洩することを更に効果的に抑止できる。
【００４４】
さらに、実施形態１によれば、図１を参照して説明した排出側シール部１４の構成は、図３〜図６を参照して説明した投入側シール部８の構成と同様である。すなわち、排出側シール部１４は、押圧部３０と、パッキン３２と、位置決め部３５Ａとを含み、位置決め部３５Ａは、規制部３４ａと、フランジ部３４ｂとを含む。従って、ドラム２の排出側端部２２においても、ドラム２から汚液が漏洩することを効果的に抑止できる。なお、排出側シール部１４については、投入側シール部８の説明において、ドラム２の投入側端部２０をドラム２の排出側端部２２と読み替え、ドラム２の投入側端部２０の外周面２９をドラム２の排出側端部２２の外周面２９と読み替え、投入側閉塞部６を排出側閉塞部１２と読み替え、投入側閉塞部６の裏面６ｂを排出側閉塞部１２の裏面と読み替える。
【００４５】
さらに、実施形態１によれば、図１〜図４に示すように、塵芥貯留装置１は、投入側シール部８及び排出側シール部１４の各々の下方に、傾斜している樋４０をさらに備えている。従って、仮に、ドラム２の投入側端部２０及び／又は排出側端部２２から、汚液が漏洩したとしても、樋４０によって汚液を汚液溜めに案内できる。その結果、汚液によって、塵芥貯留装置１及びその周囲環境が汚染されることを抑制できる。
【００４６】
（実施形態２）
図１、図２、及び図９〜図１２を参照して、本発明の実施形態２に係る塵芥貯留装置１について説明する。実施形態２に係る塵芥貯留装置１の構成は、図１及び図２を参照して説明した実施形態１に係る塵芥貯留装置１の構成と同様である。ただし、実施形態２に係る塵芥貯留装置１の投入側シール部８及び排出側シール部１４の構成は、実施形態１に係る投入側シール部８及び排出側シール部１４の構成と異なる。すなわち、実施形態２に係る塵芥貯留装置１の投入側シール部８及び排出側シール部１４の各々は、帯状部３７及び基部３４ｃを有するが、実施形態１に係る塵芥貯留装置１の投入側シール部８及び排出側シール部１４の各々は、これらを有しない。以下、実施形態２が実施形態１と異なる点を主に説明する。
【００４７】
図９及び図１０を参照して、実施形態２に係る投入側シール部８の概略について説明する。図９は、本体１Ａを示す分解斜視図である。図９に示すように、投入側シール部８は、押圧部３０と、パッキン３２と、位置決め部３５Ｂと、帯状部３７とを含む。帯状部３７は、ドラム２の投入側端部２０の外周面２９に接合される板状の部材である。位置決め部３５Ｂは、円環状であり、投入側閉塞部６の裏面６ｂに接合される。位置決め部３５Ｂは、パッキン３２がドラム２の帯状部３７に沿って配置されるように、パッキン３２を位置決めする。
【００４８】
図１０は、位置決め部３５Ｂを示す拡大斜視図である。図１０に示すように、位置決め部３５Ｂは、規制部３４ａと、フランジ部３４ｂと、基部３４ｃとを含む。基部３４ｃは、円環状であり、投入側閉塞部６の裏面６ｂに接合される板状の部材である。規制部３４ａは、円環状であり、基部３４ｃから突出する板状の部材である。
【００４９】
図１１及び図１２を参照して、実施形態２に係る投入側シール部８の詳細について説明する。図１１は、投入側シール部８を示す断面斜視図である。図１２は、投入側シール部８を示す断面図である。図１１及び図１２では、円環状の投入側シール部８の最下部近傍が示される。図１１及び図１２に示すように、パッキン３２は、帯状部３７と規制部３４ａとに挟まれるとともに、押圧部３０と基部３４ｃとに挟まれている。具体的には、次の通りである。
【００５０】
パッキン３２は、帯状部３７に沿って配置される。帯状部３７は、規制部３４ａに向かってパッキン３２を押圧する。帯状部３７を設ける理由は次の通りである。すなわち、図５を参照して説明した実施形態１では、ドラム２の外周面２９がパッキン３２を押圧している。従って、ドラム２が歪んでいると、外周面２９とパッキン３２との間に僅かな隙間が発生する可能性がある。そこで、実施形態２では、ドラム２をパッキン３２に接触させることなく、帯状部３７を介してパッキン３２を押圧することによって、ドラム２の歪を起因とした隙間の発生を抑制する。その結果、帯状部３７を設けない場合と比較して、ドラム２から汚液が漏洩することを更に抑止できる。特に、ドラム２の歪によって帯状部３７が歪むことを抑制するため、帯状部３７の厚みｔ１は、ドラム２の投入側端部２０の厚みｔ２よりも大きいことが好ましい。この場合、ドラム２から汚液が漏洩することを更に抑止できる。
【００５１】
押圧部３０は基部３４ｃに向かってパッキン３２を押圧する。具体的には、押圧部３０の凸部３０ａは、基部３４ｃに向かってパッキン３２を押圧する。基部３４ｃを設ける理由は次の通りである。すなわち、図５を参照して説明した実施形態１では、パッキン３２は投入側閉塞部６の裏面６ｂに押し付けられる。従って、投入側閉塞部６が歪んでいると、裏面６ｂとパッキン３２との間に僅かな隙間が発生する可能性がある。そこで、実施形態２では、投入側閉塞部６をパッキン３２に接触させることなく、基部３４ｃにパッキン３２を押し付けることによって、投入側閉塞部６の歪を起因とした隙間の発生を抑制する。その結果、基部３４ｃを設けない場合と比較して、ドラム２から汚液が漏洩することを更に抑止できる。特に、投入側閉塞部６の歪によって基部３４ｃが歪むことを抑制するため、基部３４ｃの厚みｔ３は、投入側閉塞部６の厚みｔ４よりも大きいことが好ましい。この場合、ドラム２から汚液が漏洩することを更に抑止できる。
【００５２】
以上、図９〜図１２を参照して説明したように、実施形態２に係る塵芥貯留装置１によれば、塵芥が貯留されるドラム２から汚液が漏洩することを効果的に抑止できる。その他、実施形態２では、実施形態１と同様の効果を有する。
【００５３】
また、実施形態２によれば、排出側シール部１４の構成は、図９〜図１２を参照して説明した投入側シール部８の構成と同様である。すなわち、排出側シール部１４は、押圧部３０と、パッキン３２と、位置決め部３５Ｂとを含み、位置決め部３５Ｂは、規制部３４ａと、フランジ部３４ｂと、基部３４ｃとを含む。従って、ドラム２の排出側端部２２においても、ドラム２から汚液が漏洩することを効果的に抑止できる。なお、排出側シール部１４については、投入側シール部８の説明において、ドラム２の投入側端部２０をドラム２の排出側端部２２と読み替え、ドラム２の投入側端部２０の外周面２９をドラム２の排出側端部２２の外周面２９と読み替え、投入側閉塞部６を排出側閉塞部１２と読み替え、投入側閉塞部６の裏面６ｂを排出側閉塞部１２の裏面と読み替える。
【００５４】
（実施形態３）
図１３〜図１５を参照して、本発明の実施形態３に係る塵芥貯留装置１について説明する。実施形態３に係る塵芥貯留装置１の構成は、実施形態２に係る塵芥貯留装置１の構成と同様である。ただし、図１３に示すように、実施形態３に係る塵芥貯留装置１は、実施形態２に係る塵芥貯留装置１の構成に加えて、突起部３１をさらに含む。以下、実施形態３が実施形態２と異なる点を主に説明する。
【００５５】
図１３は、実施形態３に係る塵芥貯留装置１の投入側シール部８の押圧部３０及び突起部３１を示す斜視図である。図１３に示すように、投入側シール部８は複数の突起部３１をさらに含む。実施形態３では、突起部３１は無頭釘である。例えば、突起部３１は押圧部３０に溶接される。複数の突起部３１は、押圧部３０の周方向に沿って等間隔で配置される。また、突起部３１は、押圧部３０の凸部３０ａの設けられる側から突出している。具体的には、突起部３１は、凸部３０ａと凸部３０ａとの間から突出している。従って、突起部３１の基端部分が２つの凸部３０ａに支えられ、突起部３１を補強できる。
【００５６】
図１４は、投入側シール部８を示す断面斜視図である。図１５は、投入側シール部８を示す断面図である。図１４及び図１５に示すように、突起部３１は、ボルト４４と略平行であり、ボルト４４よりもドラム２の近くに位置する。また、突起部３１は、凸部３０ａを介してボルト４４と対向している。
【００５７】
さらに、突起部３１は、押圧部３０からパッキン３２に向かって突出している。そして、突起部３１はパッキン３２に差し込まれる。例えば、突起部３１はパッキン３２に刺し込まれる。従って、実施形態３によれば、位置決め部３５Ｂにおけるパッキン３２のずれ及び偏り、並びに位置決め部３５Ｂからのパッキン３２の脱落を抑制できる。その他、実施形態３では、実施形態２と同様の効果を有する。
【００５８】
なお、実施形態３に係る排出側シール部１４（図１）は、投入側シール部８と同様に、複数の突起部３１を含む。
【００５９】
以上、図面を参照しながら本発明の実施形態について説明した。但し、本発明は、上記の実施形態に限られるものではなく、その要旨を逸脱しない範囲で種々の態様において実施することが可能である（例えば、下記に示す（１）〜（４））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００６０】
（１）ドラム２の形状は、内径が一定の円筒状に限定されない。例えば、ドラム２は、内径が一定の円筒体の両端部のうちの一方端部及び／又は他方端部に、円錐台状の中空の部材を結合することによって形成することができる。支持部１Ｂは設けなくてもよい。
【００６１】
（２）押圧部３０、規制部３４ａ、フランジ部３４ｂ、及び基部３４ｃの各々は、１つの部材で円環状に形成されていてもよいし、複数の部材によって円環状に形成されていてもよい。
【００６２】
（３）実施形態２において、塵芥貯留装置１は、帯状部３７及び基部３４ｃの双方を有していなくてもよい。塵芥貯留装置１は、帯状部３７及び基部３４ｃのうちのいずれか一方を有していてもよい。また、実施形態１〜実施形態３において、凸部３０ａの数は、単数であってもよいし、３以上の複数であってもよい。凸部３０ａの形状は特に限定されない。凸部３０ａは設けなくてもよい。
【００６３】
（４）実施形態３において、複数の突起部３１は、等間隔で配置されたが、任意の間隔で配置されてもよい。また、突起部３１は、複数であったが、１つでもよい。さらに、突起部３１は、無頭釘であったが、無頭釘に限定されない。例えば、突起部３１は、有頭釘であってもよいし、ネジであってもよい。突起部３１がネジの場合は、突起部３１をパッキン３２に捻じ込むことにより、突起部３１をパッキン３２に差し込む。また、実施形態１及び実施形態２に係る塵芥貯留装置１の投入側シール部８及び排出側シール部１４の各々に、単数又は複数の突起部３１を設けてもよい。
【産業上の利用可能性】
【００６４】
本発明は、塵芥貯留装置に関するものであり、産業上の利用可能性を有する。
【符号の説明】
【００６５】
１    塵芥貯留装置
１Ａ    本体
１Ｂ    支持部
２    ドラム
６    投入側閉塞部（第１閉塞部）
６ａ    投入口
８    投入側シール部（第１シール部）
１２    排出側閉塞部（第２閉塞部）
１２ａ    排出口
１４    排出側シール部（第２シール部）
３０    押圧部
３０ａ    凸部
３１    突起部
３２    パッキン
３４ａ    規制部
３４ｂ    フランジ部
３４ｃ    基部
３５Ａ，３５Ｂ    位置決め部
３７    帯状部
【図１】
0006532552.tif 000002
【図２】
0006532552.tif 000003
【図３】
0006532552.tif 000004
【図４】
0006532552.tif 000005
【図５】
0006532552.tif 000006
【図６】
0006532552.tif 000007
【図７】
0006532552.tif 000008
【図８】
0006532552.tif 000009
【図９】
0006532552.tif 000010
【図１０】
0006532552.tif 000011
【図１１】
0006532552.tif 000012
【図１２】
0006532552.tif 000013
【図１３】
0006532552.tif 000014
【図１４】
0006532552.tif 000015
【図１５】
0006532552.tif 000016